(57)【要約】【課題】塗布処理対象に最適な温度でエアゾール内容物を塗布する噴射液の処理方法、および塗布処理対象に最適な温度でエアゾール内容物を塗布し且つエアゾール内容物を容易に無駄なく塗布処理対象に塗布することができるエアゾール噴射装置を提供すること。【解決手段】ロングノズル（１４）がエアゾール容器（１１）の軸方向に延設されており、ロングノズル（１４）の上端部の塗布部材（１５）によりエアゾール内容物を塗布処理対象の処理面に塗布した際の当該処理面におけるエアゾール内容物の温度およびエアゾール内容物を塗布部材（１５）に含浸させた際の当該塗布部材（１５）中のエアゾール内容物の温度の少なくとも一方が、０〜５５℃に設定されている。【選択図】      図１
2004358319.tif 000002
【特許請求の範囲】
【請求項１】
エアゾール噴射装置のエアゾール容器から噴出されるエアゾール内容物を含浸した当該エアゾール噴射装置の塗布部材により前記エアゾール内容物を塗布処理対象の処理面に塗布する噴射液の処理方法であって、
前記エアゾール内容物を前記処理面に塗布した際の当該処理面における前記エアゾール内容物の温度および前記エアゾール内容物を前記塗布部材に含浸させた際の当該塗布部材中の前記エアゾール内容物の温度の少なくとも一方を０〜５５℃としたことを特徴とする噴射液の処理方法。
【請求項２】
エアゾール容器と、当該エアゾール容器の上端部に設けられ且つ当該エアゾール容器の軸方向に延出するバルブステムと、当該バルブステム上端の噴出口から前記エアゾール容器内のエアゾール内容物を噴出させるために前記バルブステムの上端部に取り付けられ且つ前記噴出口と連通する噴射孔を有するアクチュエータと、当該アクチュエータに一体または別体に形成され且つ当該アクチュエータの噴射孔と連通する長導孔を有するロングノズルと、当該ロングノズルの上端部に設けられ且つ前記バルブステムの噴出口から噴出した前記エアゾール内容物が含浸される塗布部材と、を備え、
前記塗布部材により前記エアゾール内容物を塗布処理対象の処理面に塗布した際の当該処理面における前記エアゾール内容物の温度および前記エアゾール内容物を前記塗布部材に含浸させた際の当該塗布部材中の前記エアゾール内容物の温度の少なくとも一方が０〜５５℃となるように構成されたエアゾール噴射装置であって、
前記ロングノズルが前記エアゾール容器の軸方向に延設されていることを特徴とするエアゾール噴射装置。
【請求項３】
前記ロングノズルの揺動により前記アクチュエータが前記バルブステムから前記エアゾール内容物を噴出させることを特徴とする請求項２に記載したエアゾール噴射装置。
【請求項４】
前記アクチュエータが前記バルブステムを押下することにより前記エアゾール内容物が噴出されることを特徴とする請求項２に記載したエアゾール噴射装置。
【発明の詳細な説明】
【０００１】
【発明の属する技術分野】
本発明は、エアゾール容器に入れられた例えば、殺虫剤、農薬、忌避剤、制汗剤、消臭剤、等のエアゾール内容物（即ち、エアゾール液）を噴射するエアゾール噴射装置および当該エアゾール噴射装置から噴射される噴射液の処理方法に関する。
【０００２】
【従来の技術】
従来から、殺虫剤、農薬、忌避剤、制汗剤、消臭剤、等を噴射（換言すれば、噴霧）するためにエアゾール噴射装置が用いられている。
【０００３】
従来のエアゾール噴射装置の一例では、エアゾール容器のヘッド（即ち、アクチュエータ）前面のノズル孔の開口された部分に延長導管（即ち、ロングノズル）用の嵌合部が凹設され、当該嵌合部に延長導管の基端部が着脱自在に取り付けられている。延長導管は、ノズル孔と連通しており、ヘッドを押下することにより、エアゾール容器内のエアゾール内容物（不図示）と高圧ガス（不図示）とがノズル孔から延長導管を通って延長導管の先端部から噴出する。延長導管の先端部には、合成樹脂を球状に成形した多孔体がインモールド成形により取り付けられており、延長導管の先端部から噴出されるエアゾール内容物が多孔体を介して霧状に噴射される（例えば、特許文献１参照）。
【０００４】
次に、従来のエアゾール噴射装置の他の一例では、エアゾール缶（即ち、エアゾール容器）の噴射ボタン（即ち、アクチュエータ）の上面外周縁に撮み片が突き出して設けられており、噴射孔にパイプ体（即ち、ロングノズル）の一端が差し込まれ且つ他端がスポンジ体に挿入固定されている（例えば、特許文献２参照）。
【０００５】
【特許文献１】
実開平０６−０３５１８３号公報（第４〜５頁、第１図）
【特許文献２】
特開平１１−０５９７５４号公報（第２頁、第１図）
【０００６】
【発明が解決しようとする課題】
上記エアゾール噴射装置では、多孔体，スポンジ体、等を用いて処理対象に噴射処理，塗布処理を行なう際のエアゾール内容物の最適温度を考慮していないため、例えば上記エアゾール噴射装置を園芸用として用いた場合、エアゾール内容物の温度が極端に低いと、葉、茎、等の処理対象が冷却されて、葉枯れ等、植物に対して致命的な損傷を与える可能性がある。
【０００７】
また、上述したエアゾール噴射装置の一例においては、エアゾール容器のヘッドに、延長導菅が、横方向、即ち、エアゾール容器の軸方向とは直交する方向に延長するように取り付けられている。同様に、上述したエアゾール噴射装置の他の一例においても、エアゾール缶の噴射ボタンの噴射孔に、パイプ体が、横方向、即ち、エアゾール缶の軸方向とは直交する方向に延長するように取り付けられている。そのため、これらエアゾール噴射装置を例えば園芸用として用いた場合、高さが人間よりも高い植物や天井等から吊り下げられた植物等、高所にあって人間の手の届かないような所にある処理対象に対して多孔体，スポンジ体で噴射処理，塗布処理を行なおうとすると、エアゾール容器，エアゾール缶を略水平に持ちながら多孔体，スポンジ体を処理対象に近づけるか或いは接触させなければならないので、煩雑な作業を強いられるとともに、処理対象から離れた位置で無理矢理、エアゾール内容物の噴射を行なうことにもなりかねず、噴射液を無駄にしてしまう可能性が高い。更に、これらエアゾール噴射装置を例えば人体用として用いた場合、手で持ったエアゾール容器，エアゾール缶に対して、多孔体，スポンジ体を例えば、背中、腰、等における噴射処理，塗布処理したい部位に正確に導くことは容易ではない。
【０００８】
本発明は、前述した事情に鑑みてなされたものであり、その目的は、塗布処理対象に最適な温度でエアゾール内容物を塗布する噴射液の処理方法、および塗布処理対象に最適な温度でエアゾール内容物を塗布し且つエアゾール内容物を容易に無駄なく塗布処理対象に塗布することができるエアゾール噴射装置を提供することにある。
【０００９】
【課題を解決するための手段】
前述した目的を達成するために、本発明に係る噴射液の処理方法は、請求項１に記載したように、
エアゾール噴射装置のエアゾール容器から噴出されるエアゾール内容物を含浸した当該エアゾール噴射装置の塗布部材により前記エアゾール内容物を塗布処理対象の処理面に塗布する噴射液の処理方法であって、
前記エアゾール内容物を前記処理面に塗布した際の当該処理面における前記エアゾール内容物の温度および前記エアゾール内容物を前記塗布部材に含浸させた際の当該塗布部材中の前記エアゾール内容物の温度の少なくとも一方を０〜５５℃としたことを特徴としている。
【００１０】
請求項１に記載の発明によれば、塗布部材によりエアゾール内容物を塗布処理対象の処理面に塗布した際の当該処理面におけるエアゾール内容物の温度およびエアゾール内容物を塗布部材に含浸させた際の当該塗布部材中のエアゾール内容物の温度の少なくとも一方が、０〜５５℃に設定されているので、塗布処理対象に０〜５５℃という最適な温度でエアゾール内容物が塗布される。
【００１１】
また、前述した目的を達成するために、本発明に係るエアゾール噴射装置は、請求項２に記載したように、
エアゾール容器と、当該エアゾール容器の上端部に設けられ且つ当該エアゾール容器の軸方向に延出するバルブステムと、当該バルブステム上端の噴出口から前記エアゾール容器内のエアゾール内容物を噴出させるために前記バルブステムの上端部に取り付けられ且つ前記噴出口と連通する噴射孔を有するアクチュエータと、当該アクチュエータに一体または別体に形成され且つ当該アクチュエータの噴射孔と連通する長導孔を有するロングノズルと、当該ロングノズルの上端部に設けられ且つ前記バルブステムの噴出口から噴出した前記エアゾール内容物が含浸される塗布部材と、を備え、
前記塗布部材により前記エアゾール内容物を塗布処理対象の処理面に塗布した際の当該処理面における前記エアゾール内容物の温度および前記エアゾール内容物を前記塗布部材に含浸させた際の当該塗布部材中の前記エアゾール内容物の温度の少なくとも一方が０〜５５℃となるように構成されたエアゾール噴射装置であって、
前記ロングノズルが前記エアゾール容器の軸方向に延設されていることを特徴としている。
【００１２】
請求項２に記載の発明によれば、ロングノズルの上端部の塗布部材によりエアゾール内容物を塗布処理対象の処理面に塗布した際の当該処理面におけるエアゾール内容物の温度およびエアゾール内容物を塗布部材に含浸させた際の当該塗布部材中のエアゾール内容物の温度の少なくとも一方が、０〜５５℃に設定されているので、塗布処理対象に０〜５５℃という最適な温度でエアゾール内容物が塗布される。また、請求項２に記載の発明によれば、ロングノズルがエアゾール容器の軸方向に延設されているので、例えば手の届かない場所にある塗布処理対象に塗布する場合でも、従来のエアゾール噴射装置と比較して、エアゾール内容物を容易に無駄なく塗布処理対象に塗布することができる。
【００１３】
また、本発明に係るエアゾール噴射装置は、請求項３に記載したように、請求項２に記載のエアゾール噴射装置において、
前記ロングノズルの揺動により前記アクチュエータが前記バルブステムから前記エアゾール内容物を噴出させることを特徴としている。
【００１４】
請求項３に記載の発明によれば、バルブステムからのエアゾール内容物の噴出がロングノズルを揺動させることで行なわれるので、単にエアゾール容器を振ってロングノズルを揺動させるといった極めて簡単な操作でエアゾール内容物の塗布部材への含浸を行なうことができる。
【００１５】
また、本発明に係るエアゾール噴射装置は、請求項４に記載したように、請求項２に記載のエアゾール噴射装置において、
前記アクチュエータが前記バルブステムを押下することにより前記エアゾール内容物が噴出されることを特徴としている。
【００１６】
請求項４に記載の発明によれば、バルブステムからのエアゾール内容物の噴出がアクチュエータのバルブステムに対する押下により為されるため、アクチュエータの構造を従来のエアゾール噴射装置と同様な簡単なものとし、コスト面で有利にすることができる。
【００１７】
以上、本発明について簡潔に説明した。更に、以下に説明される発明の実施の形態を添付の図面を参照して通読することにより、本発明の詳細は更に明確化されるであろう。
【００１８】
【発明の実施の形態】
以下、本発明に係る複数の好適な実施形態を図面に基づいて詳細に説明する。
【００１９】
（第１実施形態）
図１は本発明の第１実施形態であるエアゾール噴射装置を示す外観斜視図、そして図２は図１に示すエアゾール噴射装置の断面図である。
【００２０】
本発明の第１実施形態である噴射液の処理方法を用いたエアゾール噴射装置１０は、図１および図２に示されるように、エアゾール容器１１と、当該エアゾール容器１１の上端部に突き出して設けられ且つ当該エアゾール容器１１の軸方向に延出するバルブステム１２と、当該バルブステム１２上端の噴出口からエアゾール容器１１内のエアゾール内容物（不図示）を噴出させるためにバルブステム１２の上端部に取り付けられ且つバルブステム１２の噴出口と連通する噴射孔１３ａを有するアクチュエータ１３と、当該アクチュエータ１３に一体に形成され且つアクチュエータ１３の噴射孔１３ａと連通する長導孔１４ａを有するロングノズル１４と、当該ロングノズル１４の上端部に設けられ且つバルブステム１２の噴出口から噴出したエアゾール内容物が含浸される塗布部材１５と、を具備している。以下、このエアゾール噴射装置１０の各構成要素を詳細に説明する。
【００２１】
バルブステム１２は、エアゾール容器１１の上端部にシール固定された蓋体１６に、Ｏ（オー）リング１７を介して装着されている。
【００２２】
アクチュエータ１３は、バルブステム１２の上端部に外嵌するアダプタ部１８と、錘部材１９と、を備える。アダプタ部１８の中央部には、エアゾール容器１１の軸方向に配された噴射孔１３ａが形成されており、アダプタ部１８の上端部には内部に噴射孔１３ａが通る錘固定部１３ｂが形成されている。錘部材１９は、所定の重量を有して円環状に形成され、アダプタ部１８の錘固定部１３ｂに固定されており、図２中に破線で示すように、エアゾール容器１１が揺動された際に、アダプタ部１８を介して、その揺動エネルギーがバルブステム１２に伝わり、これによりバルブステム１２が揺動されて、エアゾール容器１１内に封入されているエアゾール内容物がバルブステム１２から噴射孔１３ａに噴出される。
【００２３】
アダプタ部１８の錘固定部１３ｂには、エアゾール容器１１の軸方向に延設されるようにロングノズル１４が一体成形されている。ロングノズル１４は、可撓性を有し、その基端部から上端部にかけて内部を通る長導孔１４ａがアクチュエータ１３の噴射孔１３ａに連通している。このロングノズル１４の上端部には塗布部材１５が装着されている。
【００２４】
吸液性を有する塗布部材１５は、所謂ポンポンと呼ばれる例えば１０ｍｍ程度の直径の球形のものであり、その本体１５ａは多数の毛糸を有している。塗布部材１５の本体１５ａは、その中心部でロングノズル１４上端部の長導孔１４ａが開口されているため、アクチュエータ１３の噴射孔１３ａおよびロングノズル１４の長導孔１４ａを通って噴出されたエアゾール内容物が含浸され、当該エアゾール内容物を保持する。塗布部材１５はロングノズル１４を中心軸として回転するように設けられている。塗布部材１５の本体１５ａ内ではエアゾール内容物の温度設定処理が行なわれる。その温度設定処理とは、エアゾール内容物の温度を０〜５５℃、好ましくは０〜４０℃に調整することである。より詳細には、ロングノズル１４の上端部から塗布部材１５の中心部に放出された冷たいエアゾール内容物が、本体１５ａの外表面の毛糸に到達するまでの間に周囲温度の影響を受けて温められて、０〜５５℃に調整される。また、塗布部材１５の本体１５ａによる温度設定処理において、エアゾール内容物の温度を常温よりも高い温度に設定する場合には、ヒータ等の加熱手段（不図示）が塗布部材１５の本体１５ａに設けられる。
【００２５】
さて、エアゾール容器１１の上端部には、ロングノズル１４の基端部からアクチュエータ１３およびバルブステム１２を覆うように、カバー２０が装着されている。カバー２０は、例えば、可撓性を有するビニール製であって、アクチュエータ１３が揺動する際にアダプタ部１８および錘部材１９と非接触となるように配されている。
【００２６】
尚、エアゾール噴射装置１０で用いられるエアゾール内容物は、薬液からなる原液と噴射剤とからなる。エアゾール噴射装置１０を園芸用として用いる場合には、エアゾール内容物の原液における有効成分として例えば、殺虫剤、農薬、殺菌剤、等が用いられる。また、エアゾール噴射装置１０を人体用として用いる場合には、エアゾール内容物の原液における有効成分として例えば、芳香剤、消臭剤、制汗剤、等が用いられる。また、エアゾール噴射装置１０をインテリアのクリーナとして用いる場合には、エアゾール内容物の原液における有効成分として例えば、洗浄剤等が用いられる。
【００２７】
エアゾール噴射装置１０を使用するに際しては、エアゾール容器１１を手に持って振り、ロングノズル１４を揺動させてバルブステム１２を揺動させ、エアゾール容器１１内のエアゾール内容物をロングノズル１４の上端部から塗布部材１５の中心部に放出させて、塗布部材１５内にエアゾール内容物を含浸させる。
【００２８】
そして、エアゾール噴射装置１０が園芸用である場合、塗布処理対象である例えば植物の葉の表面および裏面（即ち、処理面）に塗布部材１５でエアゾール内容物を塗布する。このとき、高さが人間よりも高い植物や天井等から吊り下げられた植物等、高所にあって人間の手の届かないような所にある植物の葉に対してエアゾール内容物を塗布する場合、手に持っているエアゾール容器１１の軸方向の延長線上に塗布部材１５が配されているので、脚立等に上った場合と同等の伸長状態となり、その姿勢のままで葉の表面および裏面にエアゾール内容物を容易に無駄なく塗布することができる。また、葉が密集している植物にエアゾール内容物を塗布する場合、表側の葉によって隠れている奥側の方の葉に対しても、エアゾール内容物を直接塗布することができる。その際、既に塗布し終わっている表側の葉が手に触れることが無いので、表側の葉に塗布されているエアゾール内容物が手に付着することも無い。また、塗布部材１５によりエアゾール内容物を植物の葉の処理面に塗布した際の当該処理面におけるエアゾール内容物の温度およびエアゾール内容物を塗布部材１５に含浸させた際の当該塗布部材１５中のエアゾール内容物の温度の少なくとも一方が、０〜５５℃に設定されているので、植物の葉に０〜５５℃という最適な温度でエアゾール内容物が塗布される。従って、植物に対して致命的な損傷を与える可能性がない。
【００２９】
また、エアゾール噴射装置１０が人体用である場合、塗布処理対象である例えば人体の背中、脇、腰、足、等に塗布部材１５でエアゾール内容物を塗布する。このとき、通常は手の届かないような例えば背中等の人体の部位に対してエアゾール内容物を塗布する場合、塗布部材１５がエアゾール容器１１の軸方向の延長線上に配されているので、容易に無駄なくエアゾール内容物を塗布することができる。
【００３０】
また、エアゾール噴射装置１０がインテリアのクリーナとして用いられる場合、塗布処理対象である例えば天井等といった通常は手の届かないような箇所に対しても、塗布部材１５により容易にエアゾール内容物を塗布することができ、また塗布部材１５により当該箇所の清掃も行なうことができる。尚、特にこのような用途の場合、塗布部材１５がロングノズル１４に着脱自在に設けられていることが望ましく、このようにすれば、汚れた塗布部材１５を取り外して洗浄後ロングノズル１４に再び取り付けたり、汚れた塗布部材１５を新品の塗布部材１５に交換したりできる。
【００３１】
（第２実施形態）
次に、図３を参照して本発明に係る第２実施形態を説明する。図３は本発明の第２実施形態であるエアゾール噴射装置の部分断面図である。尚、第２実施形態において、既に説明した部材等と同様な機能・作用を有する部材等については、図中に同一符号または相当符号を付することにより、説明を簡略化或いは省略する。
【００３２】
本発明の第２実施形態である噴射液の処理方法を用いたエアゾール噴射装置４０は、図３に示されるように、エアゾール容器１１と、当該エアゾール容器１１の上端部に突き出して設けられ且つ当該エアゾール容器１１の軸方向に延出するバルブステム（不図示）と、当該バルブステム上端の噴出口からエアゾール容器１１内のエアゾール内容物（不図示）を噴出させるためにバルブステムの上端部に取り付けられ且つバルブステムの噴出口と連通する噴射孔を有するアクチュエータ４３と、当該アクチュエータ４３に別体に形成され（即ち、着脱自在に取り付けられ）且つアクチュエータ４３の噴射孔と連通する長導孔４４ａを有するロングノズル４４と、当該ロングノズル４４の上端部に設けられ且つバルブステムの噴出口から噴出したエアゾール内容物が含浸される塗布部材１５と、を具備している。
【００３３】
このエアゾール噴射装置４０では、アクチュエータ４３にフランジ状に形成された押下片４３ａを下方に押圧することにより、バルブステム（不図示）が押下され、エアゾール容器１１内に封入されているエアゾール内容物がアクチュエータ４３の噴射孔（不図示）に噴出され、噴出されたエアゾール内容物がロングノズル４４の長導孔４４ａを通ってロングノズル４４の長導孔４４ａから塗布部材１５の本体１５ａの中心部で放出され、塗布部材１５内にエアゾール内容物が含浸される。
【００３４】
エアゾール噴射装置４０によれば、バルブステムからのエアゾール内容物の噴出がアクチュエータ４３のバルブステムに対する押下により為されるため、アクチュエータ４３の構造を従来のエアゾール噴射装置と同様な簡単なものとし、コスト面で有利にすることができる。また、ロングノズル４４がアクチュエータ４３に対して着脱自在であるため、ロングノズル４４をアクチュエータ４３から取り外せば、通常のエアゾール噴射装置と同様に、アクチュエータ４３の噴射孔からエアゾール内容物を噴射（噴霧）することができる。尚、エアゾール噴射装置４０に関する他の作用ならびに効果については、第１実施形態であるエアゾール噴射装置１０の説明から容易に類推可能であるため、説明を省略する。
【００３５】
尚、本発明は、前述した各実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００３６】
例えば、ロングノズルは、上述した実施形態のものに限らず、伸縮自在のものや、折り畳み自在のものや、連結自在のものや、折り曲げ復元自在なもの、等で構成されていてもよい。
【００３７】
また、塗布部材も、上述した実施形態のものに限定されず、例えば、従来のエアゾール噴射装置と同様に、スポンジ体等の吸液性を有するものを採用してもよい。但し、上述した実施形態のような塗布部材を採用すれば、塗布処理対象に優しく塗布できるので、より好ましい。
【００３８】
また、塗布部材および当該塗布部材が上端部に設けられたロングノズルを例えば図４に示されるように構成してもよい（第１変形例）。具体的に、この第１変形例では、ロングノズル６４の上端部における長導孔６４ａの開口が複数の第１噴出孔６４ｂと複数の第２噴出孔６４ｃとで構成されており、このロングノズル６４の上端部に、第１噴出孔６４ｂと連通する複数の噴射通路６５ｂを本体６５ａ内に有する塗布部材６５が設けられている。塗布部材６５は吸液性を有するスポンジ体である。
【００３９】
このように構成されたエアゾール噴射装置では、エアゾール内容物がロングノズル６４の長導孔６４ａを通って第１噴出孔６４ｂおよび第２噴出孔６４ｃから塗布部材６５へ噴出する。第１噴出孔６４ｂから噴出したエアゾール内容物は塗布部材６５の噴射通路６５ｂを通り、一部が本体６５ａに吸液（含浸）されながら図４に示されるように塗布部材６５の表面における噴射通路６５ｂの開口から外部に噴射される。一方、第２噴出孔６４ｃから噴出したエアゾール内容物は塗布部材６５の本体６５ａの下部に吸液（含浸）される。
【００４０】
この第１変形例によれば、塗布部材６５を用いて処理対象に対してエアゾール内容物の塗布および噴射の両方が行なえる。尚、第１噴出孔６４ｂおよび噴射通路６５ｂの直径を０．１ｍｍ程度とすることが噴射を良好に行なう上で望ましい。
【００４１】
また、塗布部材および当該塗布部材が上端部に設けられたロングノズルを例えば図５に示されるように構成してもよい（第２変形例）。具体的に、この第２変形例では、ロングノズル８４の上端部における長導孔８４ａの開口が複数の第３噴出孔８４ｂで構成されており、そして全ての第３噴出孔８４ｂを覆うように、中空の本体８５ａを有する塗布部材８５がロングノズル８４の上端部に設けられている。塗布部材８５は吸液性を有するスポンジ体である。尚、塗布部材８５がロングノズル８４から抜け落ちないように固定するために、ロングノズル８４の外周面に外嵌する塗布部材８５の下端部８５ｃがその外周面から金属リング等の環状の固定部材８６により縮径方向に押圧されている。
【００４２】
このように構成されたエアゾール噴射装置では、エアゾール内容物がロングノズル８４の長導孔８４ａを通って図５に示されるように第３噴出孔８４ｂから塗布部材８５の内面８５ｂに向けて噴射され且つ本体８５ａに吸液（含浸）される。
【００４３】
この第２変形例によれば、少ない材料で塗布部材８５を形成でき且つ、クッション性の高い中空の塗布部材８５により塗布処理対象に対して優しく塗布を行なえる。尚、第３噴出孔８４ｂの直径を０．１ｍｍ程度とすることが噴射を良好に行なう上で望ましい。
【００４４】
【発明の効果】
以上、説明したように、本発明に係る噴射液の処理方法によれば、塗布部材によりエアゾール内容物を塗布処理対象の処理面に塗布した際の当該処理面におけるエアゾール内容物の温度およびエアゾール内容物を塗布部材に含浸させた際の当該塗布部材中のエアゾール内容物の温度の少なくとも一方が、０〜５５℃に設定されているので、塗布処理対象に０〜５５℃という最適な温度でエアゾール内容物が塗布される。
【００４５】
また、本発明に係るエアゾール噴射装置によれば、ロングノズルがエアゾール容器の軸方向に延設されており、ロングノズルの上端部の塗布部材によりエアゾール内容物を塗布処理対象の処理面に塗布した際の当該処理面におけるエアゾール内容物の温度およびエアゾール内容物を塗布部材に含浸させた際の当該塗布部材中のエアゾール内容物の温度の少なくとも一方が、０〜５５℃に設定されているので、例えば手の届かない場所にある塗布処理対象に塗布する場合でも、従来のエアゾール噴射装置と比較して、０〜５５℃という最適な温度でエアゾール内容物を塗布処理対象に容易に無駄なく塗布することができる。
【００４６】
また、本発明に係るエアゾール噴射装置によれば、バルブステムからのエアゾール内容物の噴出がロングノズルを揺動させることで行なわれるので、単にエアゾール容器を振ってロングノズルを揺動させるといった極めて簡単な操作でエアゾール内容物の塗布部材への含浸を行なうことができる。
【００４７】
また、本発明に係るエアゾール噴射装置によれば、バルブステムからのエアゾール内容物の噴出がアクチュエータのバルブステムに対する押下により為されるため、アクチュエータの構造を従来のエアゾール噴射装置と同様な簡単なものとし、コスト面で有利にすることができる。
【図面の簡単な説明】
【図１】本発明の第１実施形態である噴射液の処理方法を用いたエアゾール噴射装置を示す外観斜視図である。
【図２】図１に示したエアゾール噴射装置の断面図である。
【図３】本発明の第２実施形態である噴射液の処理方法を用いたエアゾール噴射装置の部分断面図である。
【図４】本発明に係る噴射液の処理方法を用いたエアゾール噴射装置における塗布部材および当該塗布部材が上端部に設けられたロングノズルの第１変形例の断面図である。
【図５】本発明に係る噴射液の処理方法を用いたエアゾール噴射装置における塗布部材および当該塗布部材が上端部に設けられたロングノズルの第２変形例の断面図である。
【符号の説明】
１０，４０              エアゾール噴射装置
１１                    エアゾール容器
１２                    バルブステム
１３，４３              アクチュエータ
１３ａ                  噴射孔
１４，４４              ロングノズル
１５，４５              塗布部材
【図１】
2004358319.tif 000003
【図２】
2004358319.tif 000004
【図３】
2004358319.tif 000005
【図４】
2004358319.tif 000006
【図５】
2004358319.tif 000007